(57)【要約】【課題】本発明は、洗濯機の技術分野に関する洗濯機外槽（１）及び上記洗濯機外槽（１）を有する洗濯機を提供する。【解決手段】当該洗濯機外槽（１）は、対向する２つの側壁がハウジングの側板と衝突することを回避する非円面を形成する。【選択図】図２
2018516142.tif 000002
【特許請求の範囲】
【請求項１】
洗濯機外槽であって、
前記外槽（１）は、ハウジングの側板（２１）との衝突を回避するように、対向する２つの側壁を非円面とする、
洗濯機外槽。
【請求項２】
前記非円面は、平面、又は異なる曲率の弧状曲面により組み合わせてなる曲面である、
請求項２に記載の洗濯機外槽。
【請求項３】
前記外槽（１）の外側壁（１１）と外底壁（１２）には、メッシュ状補強リブが設置されている、
請求項１に記載の洗濯機外槽。
【請求項４】
前記外槽（１）の内底壁（１３）は、内槽のリアフランジの形状に合致する平滑弧面である、
請求項１に記載の洗濯機外槽。
【請求項５】
前記外槽（１）の外周面に少なくとも２つの位置決め孔が設置されており、
前記位置決め孔の軸方向は、前記外槽（１）の軸方向と同様であり、
前記位置決め孔は、位置決め支持ロッド（３）を穿設して前記位置決め支持ロッド（３）によって前記外槽（１）をハウジング（２）に固定するために用いられる、
請求項１に記載の洗濯機外槽。
【請求項６】
前記外槽（１）の外周面には、前記位置決め孔の数に合致する補強リブ（１５）が設置されており、
各補強リブ（１５）は、各補強リブ（１５）に対応する位置決め孔の周りに設置されている、
請求項５に記載の洗濯機外槽。
【請求項７】
前記外槽（１）の端部には、ボルト（１６）によって外槽（１）を洗濯機のハウジング（２）に固定するために用いられる少なくとも３本のネジ（１４）が設置されている、
請求項１に記載の洗濯機外槽。
【請求項８】
前記外槽（１）の端部には、前記ネジ（１４）の数に合致する案内補強リブ（１７）が設置されており、
各案内補強リブ（１７）は、各案内補強リブ（１７）に対応するネジ（１４）の周りに設置され、
前記案内補強リブ（１７）は、ネジ（１４）の構造強度を補強するとともに、ボルト（１６）がネジ（１４）にずれて連結されることを防止するために用いられる、
請求項７に記載の洗濯機外槽。
【請求項９】
前記外槽（１）の筐体には、通気管を固定するためのカードスロット（４）が設置されている、
請求項１に記載の洗濯機外槽。
【請求項１０】
請求項１〜９のいずれか一項に記載の洗濯機外槽（１）を含む、洗濯機。
【発明の詳細な説明】
【技術分野】
【０００１】
本出願は、洗濯機の技術分野に関し、例えば、洗濯機外槽及び当該洗濯機外槽を有する洗濯機に関する。
【背景技術】
【０００２】
図１に示すように、洗濯機外槽１’の外形は、通常に円形であり、外槽１’は一般的に外槽の筐体上方の両側におけるハンギングスプリング２’により洗濯機ハウジング３’の両側に懸架され、且つ外槽の筐体の下方の２本のショックアブソーバ４’により支持されて振動幅を低下させることにより、共に外槽１’の筐体を安定にする。外槽の直径を増加しない場合、外槽は内槽の直径を制限すれば、洗濯機の洗濯容量が制限されることになる。ハウジング構造とサイズを変更しない場合、外槽の直径を増加すれば、ハウジングと外槽との間の空間が低減されることになり、外槽が作業過程においてハウジングと衝突することによるハウジング変形などの問題が生じる恐れがある。これにより、洗濯機は、ハウジング空間が一定の場合、洗濯機が作業過程においてハウジングの２つの側板に衝突し妨害することを回避するために、洗濯機外槽の筐体とハウジングとは一定の空間を保持しなければならない。関連技術において一般的に外槽の直径を低減するという措置が採用されているが、このように内槽の容量が低減されて洗濯機の洗濯容量の向上を制限する。
【０００３】
以上の説明から、洗濯機は、ハウジング空間が一定の場合、外槽の直径を増大することに起因して、作業過程において外槽がハウジングに衝突することによるハウジング変形の問題、或いは洗濯機は、作業過程において外槽がハウジングに衝突することを回避して外槽の直径を低減することに起因して、洗濯機の洗濯容量が低減するなどの問題を解決するために、新たな洗濯機外槽が必要となる。
【発明の概要】
【０００４】
本出願は、洗濯機外槽を提案し、当該洗濯機外槽は、洗濯機のハウジングが一定であることを保証する場合、洗濯機の内部空間を十分に利用し、直径を増大し、洗濯機の洗濯容量を向上しながら、洗濯機の作業過程において外槽がハウジングと衝突し妨害するという問題を効果的に回避する。
【０００５】
本出願は、その目的を達成するために、以下の技術的手段を採用する。
【０００６】
本出願は、ハウジングの側板との衝突を回避するように、外槽の対向する２つの側壁を非円面とする洗濯機外槽を提供する。
【０００７】
洗濯機外槽の好ましい態様として、前記非円面は、平面、又は異なる曲率の弧状曲面により組み合わせてなる曲面である。
【０００８】
洗濯機外槽の好ましい態様として、前記外槽の外側壁と外底壁には、メッシュ状の補強リブが設置されている。このメッシュ状の補強リブ構造の設計により、外槽の壁厚を増加せず、原料を節約しながら、外槽全体の強度を向上させ、製造原料を節約することができる。
【０００９】
洗濯機外槽の好ましい態様として、前記外槽の内底壁は、内槽のリアフランジの形状に合致する平滑弧面である。当該平滑弧面の設計により、外槽内に付着されている垢を低減させながら、組み立て空間を合理的に節約して内槽の容積を向上することができる。
【００１０】
洗濯機外槽の好ましい態様として、前記外槽の外周面に少なくとも２つの位置決め孔が設置されており、前記位置決め孔の軸方向は、前記外槽の軸方向と同様であり、前記位置決め孔は、位置決め支持ロッドを穿設して前記位置決め支持ロッドによって前記外槽をハウジングに固定するために用いられる。当該洗濯機外槽は、搬送過程において、上記構造とする搬送固定装置を用いて筐体を支持して固定することにより、外槽の筐体の上下変位を限定し、外槽の包装・搬送・組み立て構造を効果的に向上し、搬送・組み立ての安全信頼性を向上することができる。
【００１１】
洗濯機外槽の好ましい態様として、前記外槽の外周面には、前記位置決め孔の数に合致する補強リブが設置されており、各補強リブは、各補強リブに対応する位置決め孔の周りに設置されている。
【００１２】
洗濯機外槽の好ましい態様として、前記外槽の端部には、ボルトによって外槽を洗濯機のハウジングに固定するために用いられる少なくとも３本のネジが設置されている。
【００１３】
洗濯機外槽の好ましい態様として、前記外槽の端部には、前記ネジの数に合致する案内補強リブが設置されており、各案内補強リブは各案内補強リブに対応するネジの周りに設置され、前記案内補強リブは、ネジの構造強度を補強するとともに、ボルトがネジにずれて連結されることを防止するために用いられる。
【００１４】
洗濯機外槽の好ましい態様として、前記外槽の筐体には、通気管を固定するためのカードスロットが設置されている。当該カードスロットは、洗濯機の圧力スイッチの通気管を係止でき、組み立て工数を効果的に低減させ、組み立て効率を向上させながら、洗濯機の作業状態でハウジングの振動による通気管の摩耗を回避することができる。
【００１５】
本出願は、本出願のいずれか実施例に係る洗濯機外槽を有する洗濯機を更に提案する。
【００１６】
本出願の有益な効果は以下の通りである。
【００１７】
（１）本出願は、洗濯機外槽を提供し、ハウジングの側板との衝突を回避するように、当該洗濯機外槽の対向する２つの側壁を非円面とする。洗濯機のハウジングが一定であることを保証する場合、洗濯機の内部空間を十分に利用し、外槽直径を増大し、洗濯機の作業過程において外槽がハウジングと衝突し妨害することを効果的に回避して洗濯機の洗濯容量を向上させる。
【００１８】
（２）外槽の外側壁と外底壁には、メッシュ状の補強リブが設置されている。好ましくは、外槽の外側壁に設置されたメッシュ状の補強リブは、筐体の軸に垂直な径方向リンク補強リブと筐体の軸に平行な軸方向補強リブにより固接されてなり、外槽の外底壁に設置されたメッシュ状の補強リブは、筐体の軸に垂直な環形の周方向補強リブと筐体の軸に垂直な放射状の径方向補強リブとにより固接されてなる。メッシュ状の補強リブの設置により、外槽の壁厚を増加せず、原料を節約しながら、外槽の筐体全体の構造強度を向上させる。
【００１９】
（３）外槽の内底壁は、内槽のリアフランジの形状に合致する平滑弧面であるため、外槽に付着された垢を効果的に低減させ、清潔、衛生的であると同時に、組み立て空間を合理的に節約して内槽の容積を向上させる。
【００２０】
（４）外槽の外周面に少なくとも２つの位置決め孔が設置されており、位置決め孔の軸方向は、前記外槽の軸方向と同様であり、位置決め孔は、位置決め支持ロッドを穿設して位置決め支持ロッドによって外槽をハウジングに固定するために用いられる。洗濯機の搬送過程において、外槽が位置決め支持ロッドに洗濯機中に強固に固定されるため、外槽は、振動により上下動作されないため、外槽が振動によって洗濯機中の部材との衝突を効果的に回避して洗濯機の搬送過程における信頼性を向上させる。
【００２１】
（５）外槽の外周面には、位置決め孔の数に合致する補強リブが設置されており、各補強リブは、各補強リブに対応する位置決め孔の周りに設置されている。補強リブの設置により、位置決め支持ロッドが位置決め孔を通過して外槽を位置決めする時に位置決め孔に力を加えることによる衝撃と損害を効果的に回避して位置決め孔の構造強度を補強する。
【００２２】
（６）外槽の端部には、ボルトによって外槽を洗濯機のハウジングに固定するために用いられる少なくとも３本のネジが設置されている。洗濯機の搬送過程において、外槽の軸方向がボルトに位置決めされるため、外槽は振動によって軸方向に沿って動作されないため、外槽が振動により洗濯機中の部材との衝突を効果的に回避し、洗濯機が搬送過程における信頼性の向上により寄与する。
【００２３】
（７）外槽の端部には、ネジの数に合致する案内補強リブが設置されており、各案内補強リブは、各案内補強リブに対応するネジの周りに設置され、案内補強リブの設置により、ボルトがネジにずれて連結されることを効果的に防止して案内作用を果たすことができるだけでなく、ネジの構造強度を補強することができる。
【００２４】
（８）外槽の筐体には、通気管を固定するためのカードスロットが設置されており、非ネジ設計を用いるため、組み立て工数を低減させながら、洗濯機の作業状態で振動による通気管の摩耗を効果的に回避して通気管の耐用年数を延長することができる。
【００２５】
（９）本出願は、上記のいずれか一項に記載の洗濯機外槽を有する洗濯機を更に提供し、当該洗濯機は上記のいずれか一項に記載の洗濯機外槽による有益な効果を有することができる。
【００２６】
以下、本発明の実施例を説明するために必要とする図面に対して簡単に紹介し、無論、以下の説明における図面は、本出願のいくつかの実施例に過ぎない。
【図面の簡単な説明】
【００２７】
【図１】関連技術における洗濯機の断面図
【図２】本発明の実施例１に係る洗濯機外槽とハウジングの構造模式図
【図３】本発明の実施例２に係る洗濯機外槽とハウジングの構造模式図
【図４】図３中のＤにおける部分拡大図
【図５】本発明の実施例３に係る洗濯機外槽の構造模式図
【図６】本発明の実施例４に係る洗濯機外槽の構造模式図
【図７】本発明の実施例５に係る洗濯機外槽の構造模式図
【図８】図７中のＡにおける部分拡大図
【図９】図７中のＢにおける部分拡大図
【図１０】本発明の実施例５に係る洗濯機の構造模式図
【図１１】本発明の実施例５に係るボルトと包装ボルトアセンブリの組み立て構造分解図
【図１２】本発明の実施例５に係るボルトと包装ボルトアセンブリの組み立て構造全体図
【図１３】本発明の実施例６に係る洗濯機外槽の構造図
【図１４】図１３中のＣにおける部分拡大図
【発明を実施するための形態】
【００２８】
以下、図面を結合して本発明の実施例に係る技術的手段を更に詳しく説明し、無論、記載された実施例は本出願の実施例の一部に過ぎず、全ての実施例ではない。本出願における実施例に基づき、当業者にとって進歩的労働を払わずに得られるすべての他の実施例は、いずれも本出願の保護範囲に属すべきである。
【００２９】
実施例１
【００３０】
図２は、本実施例１に係る洗濯機外槽の構造模式図である。図２に示すように、本実施例において、ハウジング２の側板２１との衝突を回避するように、洗濯機外槽１の対向する２つの側壁を非円面とし、即ち、ハウジングの側板２１との衝突を回避するように、洗濯機外槽１の洗濯機ハウジング２の両側側板２１に近い槽壁を非円面とする。
【００３１】
本実施例において、非円面は、ハウジング２の側板２１との間に一定の所定間隔を有して一定の長さの直線縁２０を有する平面であることが好ましい。好ましくは、図２に示すように、本実施例における直線縁２０とハウジング２の側板２１との間に１５ｍｍの隙間（即ち図２におけるＬ１）が予め設定されており、直線縁２０の長さＬ２は、２３０ｍｍである。直線縁２０とハウジング２の側板２１との間の所定間隔Ｌ１及び直線縁２０の長さＬ２は、外槽１の動作軌跡に応じて設計され、外槽１が振動過程においてハウジングの側板２１との衝突と妨害を回避する要求を満たすことができればよい。
【００３２】
そのうち、洗濯機のハウジング２及び所定空間Ｌ１が一定の場合、洗濯機の内部空間を十分に利用するために、外槽１の直径を増大し、洗濯機の内槽の動作軌跡及び複数回の試験により、外槽１の直径が大きいほど、直線縁２０の長さＬ２が大きいはずであるという結論が得られた。
【００３３】
そのうち、外槽１のハウジング２の両側側板２１に近い側壁の部分を除いた他の槽壁の部分は、関連技術における洗濯機外槽の槽壁の形状と同じ、それぞれ同じ曲率を有する円面である。
【００３４】
本実施例に係る洗濯機外槽は、洗濯機のハウジングが一定であることを保証する場合、洗濯機の内部空間を十分に利用し、外槽の直径を増大し、洗濯機の作業過程において外槽がハウジングと衝突し妨害することを効果的に回避して洗濯機の洗濯容量を向上させる。
【００３５】
実施例２
【００３６】
図３は、本実施例２に係る洗濯機外槽の構造模式図である。図３に示すように、当該実施例に係る洗濯機外槽の構造と実施例１に係る洗濯機外槽の構造との相違点は以下のとおりである。
【００３７】
洗濯機外槽１の対向する２つの側壁を非円面とし、好ましくは、非円面は、異なる曲率の弧状曲面により組み合わせてなる曲面であり、本実施例において、好ましくは、異なる曲率の弧状曲面は、いずれもハウジング２の側板２１へ突起する弧面である。
【００３８】
そのうち、異なる曲率で且つ外槽１の中心へ凹んだ弧面により組み合わせてなる曲面ではないように非円面を上記形状に設計する理由は、一方、外槽１と内槽の直径を増大する場合、外槽１が振動過程においてハウジングの側板２１と衝突し妨害することを効果的に回避し、他方、外槽１と内槽の直径を増大する場合、外槽１が振動過程において内槽と衝突し妨害することを効果的に回避するということである。以上に基づき、非円面を、異なる曲率で外槽１の中心へ凹んだ弧面により組み合わせてなる曲面に設計することができず、異なる曲率でハウジング２の側板２１へ突起する弧面により組み合わせてなる曲面でしか設計しない。
【００３９】
本実施例において、非円面は、２つの異なる曲率で且つハウジング２の側板２１へ突起する弧面により組み合わせてなる曲面であることが好ましい。２つの弧面は、それぞれ図３において点線により区切られた第１の弧面９（図３における上短実線と中短点線との間の弧面）と第２の弧面１０（図３における下短実線と中短点線との間の弧面）である。２つの上記弧面の曲率は、外槽１の動作軌跡に応じて選択することができ、外槽１が振動過程においてハウジングの側板２１と衝撃し妨害することを回避する効果を実現できれば良い。
【００４０】
本実施例に係る外槽１の他の槽壁部分の構造は、実施例１に係る外槽１の他の槽壁部分の構造と同様または同一になるため、ここで繰り返し説明しない。
【００４１】
好ましくは、このような洗濯機外槽1を有する洗濯機（衣類乾燥機または洗濯乾燥一体機）の凝縮効果を向上するために、図３と図４に示すように、洗濯機に水冷式凝縮器が更に設置されており、前記水冷式凝縮器は、外槽１の底端に設置された凝縮器継手１２１を含み、凝縮器継手１２１においてＶ字形のフローガイド溝１２２が設置されていることにより、乾燥された凝縮水の流出がスムーズになる。
【００４２】
本実施例に係る洗濯機外槽は、洗濯機のハウジングが一定であることを保証する場合、洗濯機の内部空間を十分に利用し、外槽の直径を増大することにより、洗濯機の作業過程において外槽がハウジングと衝突し妨害することを効果的に回避して洗濯機の洗濯容量を向上させる。
【００４３】
実施例３
【００４４】
図５は、実施例３に係る洗濯機外槽の構造模式図である。図５に示すように、実施例１に係る洗濯機外槽の構造（即ちハウジングの側板２１との衝突を回避するように、洗濯機のハウジング２の両側側板に近い槽壁を平面とする）に加えて、当該実施例における外槽１の外側壁１１と外底壁１２には、メッシュ状の補強リブが設置されている。
【００４５】
本実施例において、外槽１の外側壁に設置されたメッシュ状の補強リブは、筐体の軸に垂直な複数本の径方向リンク補強リブ５と筐体の軸に平行な複数本の軸方向補強リブ６により固接されてなることが好ましい。外槽１の外底壁１２に設置されたメッシュ状の補強リブは、筐体の軸に垂直な複数本の環形の軸方向補強リブ７と筐体の軸に平行な複数本の放射状の径方向補強リブ８により固接されてなる。隣り合う２本の径方向リンク補強リブ５間の距離、隣り合う２本の軸方向補強リブ６間の距離、隣り合う２本の環形の軸方向補強リブ７間の距離及び隣り合う２本の放射状の径方向補強リブ８間の距離は、生産コストと構造強度などの面から考慮して設計されることができる。
【００４６】
本実施例に係る洗濯機外槽は、洗濯機外槽の外側壁１１と外底壁１２には、それぞれ上記メッシュ状の補強リブが設置されることにより、外槽の壁厚を増加せずに原料を節約しながら、外槽の筐体の構造強度全体を向上させる。
【００４７】
実施例４
【００４８】
関連技術における洗濯機外槽の内底壁は、通常、平底面の設計を用いるが、平底面の構造は、外槽内に大量の垢を付着させやすく、クリーニングに不便であるだけでなく、一定の内槽組み立て空間を予め設置する必要があり、組み立て空間の占有面積が大きく、内槽の容積も比較的小さい。
【００４９】
上記問題を解決するために、本実施例４は、新たな洗濯機外槽の構造を提供する。図６に示すように、本実施例の洗濯機外槽１は、内底壁１３が外槽底壁へ凹んだ平滑弧面の設計を用い、平滑弧面が内槽のリアフランジの形状に合致する。即ち、平滑弧面の曲率は、内槽のリアフランジの形状により決定される。
【００５０】
本実施例に係る洗濯機外槽を、内底壁が凹んだ平滑弧面構造とするため、内槽の正常な転動動作を保証することができるだけでなく、外槽内に付着した垢を効果的に低減させ、清潔衛生的であると同時に、組み立て空間を合理的に節約して内槽の容積を向上させる。
【００５１】
実施例５
【００５２】
図７〜図９は、本実施例５に係る洗濯機外槽の構造模式図であり、図１０は、本実施例における洗濯機の構造模式図である。図７〜図１０に示すように、好ましくは、本出願の洗濯機外槽１の外周面に少なくとも２つの位置決め孔が設置されており、位置決め孔の軸方向は、外槽１の軸方向と同様であり、位置決め孔は、位置決め支持ロッド３を穿設して位置決め支持ロッド３によって外槽１を洗濯機のハウジング２に固定するために用いられる。
【００５３】
本実施例において、好ましくは、外槽１の外槽の前後両端に近い外周面（外槽１のフロントフランジとリアフランジ）に並列に配列された２つの位置決め孔（図７は外槽１の前端における２つの位置決め孔を示していない）がそれぞれ設置されており、且つ前後端における位置決め孔の位置はそれぞれ対応して２セットの位置決め孔（４つの位置決め孔）を構成し、同一端に位置する２つの位置決め孔の間に形成された円周角度を６０度〜１１０度の範囲内にする。好ましくは、２セットの位置決め孔は、それぞれ１セットの第１の位置決め孔９１と１セットの第２の位置決め孔９２であり、１セットの第１の位置決め孔９１と１セットの第２の位置決め孔９２には、それぞれ１本の位置決め支持ロッド３が穿設されてもよく、洗濯機のハウジング２には、２セットの位置決め孔にそれぞれ対応する２セットの第１の取付孔１８が開設されており、位置決め支持ロッド３を第１の取付孔１８と位置決め孔に通過させることにより、位置決め支持ロッド３によって外槽１をハウジング２に強固に位置決めすることを実現する。洗濯機の搬送過程において、外槽１が位置決め支持ロッド３によって強固に洗濯機に固定されるため、外槽１は、振動により上下動作されないため、外槽１が振動によって洗濯機中の部材と衝突することを効果的に回避して洗濯機の搬送過程における信頼性を向上させる。
【００５４】
好ましくは、外槽１に位置決め孔を設置することを容易にするとともに、位置決め孔の構造強度を効果的に補強するために、外槽１の外周面には、位置決め孔の数に合致する補強リブ１５が設置されており、本実施例において、外槽１の外槽の前後両端に近い外周面には、それぞれ２本の補強リブ１５が設置されており、即ち補強リブ１５は合計２セット（４本の補強リブ１５を含む）があり、各第１の位置決め孔９１が１本の補強リブ１５に設置され、各第２の位置決め孔９２が１本の補強リブ１５に設置されている。図８に示すように、各補強リブ１５は、１本の環形の補強リブ１５１、複数本の径方向補強リブ１５２及び１輪のクローズドリンクリブ１５３を含み、環形の補強リブ１５１と複数本の径方向補強リブ１５２とは、それぞれ外槽１の側壁に垂直に設置され、複数本の径方向補強リブ１５２は、環形の補強リブ１５１と外槽１の側壁とにより囲まれてなる空間に放射状に設置され、各径方向補強リブ１５２の第１の端は、いずれも環形の補強リブ１５１と固接され、第２の端は、位置決め孔を形成するクローズドリンクリブ１５３と固接される。補強リブ１５の設置により、位置決め支持ロッド３が位置決め孔を通過して外槽１を位置決めする時に位置決め孔に力を加えることによる衝撃と損害を効果的に回避することで、位置決め孔の構造強度を補強する。
【００５５】
好ましくは、図７〜図１０に示すように、外槽１が振動により軸方向に沿って動作することを効果的に防止するために、本出願の洗濯機外槽１の後端部には、ボルト１６によって外槽１を洗濯機のハウジング２に固定するために用いられる少なくとも３本のネジ１４が設置されている。
【００５６】
本実施例において、好ましくは、洗濯機外槽１の槽底の端部に４本のネジ１４が均等配置されており、４本のネジ１４は対称に設置され、そのうち、２本のネジ１４は槽底の上方に設置され、他の２本のネジ１４は槽底の下方に設置され、槽底の下方に位置する２本のネジ１４は、それぞれ第１の位置決め孔９１と第２の位置決め孔９２に近設され、洗濯機のハウジング２には、４本のネジ１４にそれぞれ対応する第２の取付孔１９が開設されており、４本のネジ１４は第２の取付孔１９に穿設されているボルト１６と螺合するために用いられる。各ボルト１６は第２の取付孔１９を通過してネジ１４と螺合することができることにより、ボルト１６によって外槽１の軸方向を位置決めすることを実現する。洗濯機の搬送過程において、外槽１の軸方向がボルト１６に位置決めされるため、外槽１は、振動により軸方向に沿って動作されないため、外槽１が振動により洗濯機における部材との衝突を効果的に回避して洗濯機の搬送過程における信頼性を更に向上させる。
【００５７】
好ましくは、外槽１にネジ１４を設置することを容易にするとともに、ネジ１４の構造強度を効果的に補強するために、外槽１の槽底端部には、ネジ１４の数に合致する案内補強リブ１７が設置されている。本実施例において、外槽１の槽底端部に４本の案内補強リブ１７が設置されており、各案内補強リブ１７は、各案内補強リブ１７に対応するネジ１４の周りに設置されている。
【００５８】
本実施例において、好ましくは、図９に示すように、各案内補強リブ１７は、複数本の径方向案内補強リブ１７１と１輪のクローズド案内リンクリブ１７２とを含み、複数本の径方向案内補強リブ１７１は外槽１の槽底にそれぞれ垂直するように放射状に設置されている。径方向案内補強リブ１７１の第１の端は、ネジ１４のクローズド案内リンクリブ１７２と固接され、径方向案内補強リブ１７１の第２の端は、ネジ１４の上端面から突出する突起構造１７１１を有し、当該突起構造１７１１の内側は斜面１７１２であり、当該斜面１７１２は、ボルト１６をネジ１４に挿入する時の案内に用いられる。好ましくは、上記斜面１７１２の底端とネジ１４の中心線との距離は、斜面１７１２の上端とネジ１４の中心線との距離より小さく、即ち、全ての径方向案内補強リブ１７１の突起構造１７１１の斜面１７１２は、共に上が広く下が狭い円錐体キャビティを形成し、当該円錐体キャビティは包装ボルトアセンブリの固定支持部材１６１に対して位置規制を行うために用いられる。このように、上記構造とする案内補強リブ１７はボルトがネジ１４にずれて連結されることを効果的に防止して案内作用を果たすことができるだけでなく、ネジ１４の構造強度を補強することができる。
【００５９】
ボルト１６をより容易、迅速に組み立てるために、包装ボルトアセンブリによってボルト１６を組み立てることができる。図１１〜図１２に示すように、前記包装ボルトアセンブリは、固定支持部材１６１、固定スリーブ１６２、パッド１６３及びクッションパッド１６４を含み、ボルト１６によってパッド１６３、クッションパッド１６４、固定スリーブ１６２及び固定支持部材１６１を固定する。ボルト１６によって包装ボルトアセンブリを組み立てる過程において、ボルト１６は順次にパッド１６３、クッションパッド１６４、固定スリーブ１６２、ハウジング２における第２の取付孔１９、固定支持部材１６１を通過してネジ１４と螺合される。パッド１６３、クッションパッド１６４、固定スリーブ１６２は、洗濯機のハウジング２の外側にあり、固定支持部材１６１は、ハウジング２と外槽１との間の空間にあり、且つ固定支持部材１６１の端部の少なくとも一部は、外槽１に設置されている案内補強リブ１７の円錐体キャビティに位置規制される。このように、外槽１に対する径方向（例えば軸方向）における強固な固定を実現する。
【００６０】
好ましくは、組み立てられたボルト１６を容易に取り外すために、固定スリーブ１６２には、対称設置された２つのタブ１６２１が設置されており、２つのタブ１６２１を引っ張ることによってボルト１６及び包装ボルトアセンブリを容易、迅速に取り外すことができ、取外し工数を節約して取外し効率を向上させる。
【００６１】
本実施例における外槽１には、２セットの位置決め孔が設置されることに限られず、３セットの位置決め孔が設置されてもよく、これにより、位置決め孔の数に合致するように設置される補強リブ１５の数も相応に３セットであり、外槽１の同一端に位置する３つの位置決め孔の円心は、安定な三角形を形成し、洗濯機のハウジング２には、３セットの位置決め孔にそれぞれ対応する３セットの第１の取付孔１８が開設されており、３本の位置決め支持ロッド３によって上記３セットの第１の取付孔１８と３セットの位置決め孔を穿設することで、外槽１の径方向に対する位置決めを実現することもできる。
【００６２】
本実施例における外槽１には、４本のネジ１４が設置されることに限られず、３本のネジ１４が設置されてもよく、これにより、ネジ１４の数に合致するように設置される案内補強リブ１７の数も相応に３本であり、３本のネジ１４の円心は、安定な三角形を形成し、洗濯機のハウジング２には、３本のネジ１４にそれぞれ対応する第２の取付孔１９が開設されており、３本のボルトによって３つの上記第２の取付孔１９と３本のネジ１４を穿設することで、外槽１の軸方向に対する位置決めを実現することもできる。
【００６３】
実施例６
【００６４】
図１３と図１４は、本実施例６に係る洗濯機外槽の構造模式図である。図１３と図１４に示すように、本実施例における洗濯機外槽１の筐体には、通気管を固定するためのカードスロット４が設置されている。本実施例において、好ましくは、カードスロット４は、フックであり、フックの開口のサイズが通気管の直径に合致する。本実施例におけるカードスロット４は、非ネジの設計により、組み立て工数を低減させ、洗濯機が作業状態においてハウジング２の振動によって通気管に対する摩耗を効果的に回避して通気管の耐用年数を延長する。
【００６５】
また、洗濯機外槽１は、少なくとも３本のショックアブソーバで支持され、本実施例において、対称設置された４本のショックアブソーバで外槽１を安定に支持することが好ましい。２本毎のショックアブソーバはそれぞれ外槽１の両側に設置され、各側の相対的な前後にそれぞれ１本のショックアブソーバが設置されている。このように、４本のショックアブソーバの支持作用により、外槽１の筐体の応力が均一になることから、外槽１の振動幅を大幅に低減させて外槽１の振動の安定性を向上させる。
【００６６】
実施例７
【００６７】
本実施例７は、本実施例１〜６のいずれか１つの実施例に係る洗濯機外槽を有する洗濯機を提供する。当該洗濯機は、上記のいずれか１つの実施例に係る洗濯機外槽による有益な効果を有することができる。
【００６８】
なお、当業者は、本出願がここに記載された特定の実施例に限定されず、当業者にとって、本出願の保護範囲を逸脱しない範囲で様々な変化、調整及び置換を行うことができると理解すべきである。よって、上記実施例によって本出願を詳しく説明したが、本出願は上記実施例に限定されない。
【産業上の利用可能性】
【００６９】
本実施例に係る洗濯機外槽は、洗濯機のハウジングが一定であることを保証する場合、洗濯機の内部空間を十分に利用し、外槽の直径を増大し，洗濯機の作業過程において外槽がハウジングと衝突し妨害することを効果的に回避して洗濯機の洗濯容量を向上させる。
【符号の説明】
【００７０】
１’、外槽
２’、ハンギングスプリング
３’、ハウジング
４’、ショックアブソーバ
１、外槽
２、ハウジング
２１、側板
３、位置決め支持ロッド
４、カードスロット
５、径方向リンク補強リブ
６、軸方向補強リブ
７、環形の軸方向補強リブ
８、放射状の径方向補強リブ
９、第１の弧面
１０、第２の弧面
１１、外側壁
１２、外底壁
１３、内底壁、
１４、ネジ
１５、補強リブ
１５１、環形の補強リブ
１５２、径方向補強リブ
１５３、クローズドリンクリブ
１６、ボルト
１６１、固定支持部材
１６２、固定スリーブ
１６２１、タブ
１６３、パッド
１６４、クッションパッド
１７、案内補強リブ
１７１、径方向案内補強リブ
１７１１、突起構造
１７１２、斜面
１７２、クローズド案内リンクリブ
１８、第１の取付孔
１９、第２の取付孔
２０、直線縁
９１、第１の位置決め孔
９２、第２の位置決め孔
１２１、凝縮器継手
１２２、フローガイド溝
【図１】
2018516142.tif 000003
【図２】
2018516142.tif 000004
【図３】
2018516142.tif 000005
【図４】
2018516142.tif 000006
【図５】
2018516142.tif 000007
【図６】
2018516142.tif 000008
【図７】
2018516142.tif 000009
【図８】
2018516142.tif 000010
【図９】
2018516142.tif 000011
【図１０】
2018516142.tif 000012
【図１１】
2018516142.tif 000013
【図１２】
2018516142.tif 000014
【図１３】
2018516142.tif 000015
【図１４】
2018516142.tif 000016
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
洗濯機外槽であって、
前記外槽（１）は、ハウジングの側板（２１）との衝突を回避するように、対向する２つの側壁を非円面とする、
洗濯機外槽。
【請求項２】
前記非円面は、平面、又は異なる曲率の弧状曲面により組み合わせてなる曲面である、
請求項１に記載の洗濯機外槽。
【請求項３】
前記外槽（１）の外側壁（１１）と外底壁（１２）には、メッシュ状補強リブが設置されている、
請求項１に記載の洗濯機外槽。
【請求項４】
前記外槽（１）の内底壁（１３）は、内槽のリアフランジの形状に合致する平滑弧面である、
請求項１に記載の洗濯機外槽。
【請求項５】
前記外槽（１）の外周面に少なくとも２つの位置決め孔が設置されており、
前記位置決め孔の軸方向は、前記外槽（１）の軸方向と同様であり、
前記位置決め孔は、位置決め支持ロッド（３）を穿設して前記位置決め支持ロッド（３）によって前記外槽（１）をハウジング（２）に固定するために用いられる、
請求項１に記載の洗濯機外槽。
【請求項６】
前記外槽（１）の外周面には、前記位置決め孔の数に合致する補強リブ（１５）が設置されており、
各補強リブ（１５）は、各補強リブ（１５）に対応する位置決め孔の周りに設置されている、
請求項５に記載の洗濯機外槽。
【請求項７】
前記外槽（１）の端部には、ボルト（１６）によって外槽（１）を洗濯機のハウジング（２）に固定するために用いられる少なくとも３本のネジ（１４）が設置されている、
請求項１に記載の洗濯機外槽。
【請求項８】
前記外槽（１）の端部には、前記ネジ（１４）の数に合致する案内補強リブ（１７）が設置されており、
各案内補強リブ（１７）は、各案内補強リブ（１７）に対応するネジ（１４）の周りに設置され、
前記案内補強リブ（１７）は、ネジ（１４）の構造強度を補強するとともに、ボルト（１６）がネジ（１４）にずれて連結されることを防止するために用いられる、
請求項７に記載の洗濯機外槽。
【請求項９】
前記外槽（１）の筐体には、通気管を固定するためのカードスロット（４）が設置されている、
請求項１に記載の洗濯機外槽。
【請求項１０】
請求項１〜９のいずれか一項に記載の洗濯機外槽（１）を含む、洗濯機。
【国際調査報告】
2018516142.tif 000017
2018516142.tif 000018
2018516142.tif 000019
2018516142.tif 000020
2018516142.tif 000021
2018516142.tif 000022